(57)【要約】【課題】誰でもが気軽に樹脂トナーを用いたカラーコピー機やカラープリンター等を用いて、自分の好みの転写模様等がコピーやプリントされた転写シートを作成し、どんな材質のものにでも容易に転写することができる転写方法および転写シートを提供する。【解決手段】膨潤するセロハン等のフィルムに樹脂トナーを用いたコピーあるいはプリントできるようにシートを貼り合せるコピーあるいはプリントシート形成工程と、このコピーあるいはプリントシートを用いて転写用の模様等をフィルム面に樹脂トナーを用いたコピーあるいはプリントして第１転写シートを作成するコピーあるいはプリント工程と、第１転写シートのコピー面を膨潤させるコピー面膨潤工程と、コピー面を透明な粘着フィルムの粘着面に粘着させて転写用の模様等の画像を粘着面に転写して第２転写シートを作る転写シート作成工程と、作成された第２転写シートを転写部に貼り付け、アイロン等の熱を加えて画像を転写する転写工程とで転写方法を構成する。【選択図】　図１【特許請求の範囲】
【請求項１】
膨潤するセロハン、セロハン代替品等のフィルムに、樹脂トナーを用いたコピーあるいはプリントできるようにシートを貼り合せ、コピーあるいはプリントシートを形成するコピーあるいはプリントシート形成工程と、
このコピーあるいはプリントシート形成工程で形成されたコピーあるいはプリントシートを用いて転写用の模様等をフィルム面に樹脂トナーを用いたコピーあるいはプリントして第１転写シートを作成するコピーあるいはプリント工程と、
このコピーあるいはプリント工程後に、第１転写シートのコピーあるいはプリント面を膨潤させるコピー面膨潤工程と、
このコピー面膨潤工程の前後に第１転写シートのコピーあるいはプリント面を透明あるいは半透明の粘着フィルムあるいは粘着シートの粘着面に粘着させて、コピーまたはプリント面の転写用の模様等の画像を粘着面に転写して第２転写シートを作る転写シート作成工程と、
この転写シート作成工程で作成された第２転写シートを転写部に貼り付けあるいはアイロン等の熱を加えて画像を転写する転写工程と
を含むことを特徴とする転写方法。
【請求項２】
剥離剤シートをコピーあるいはプリントできるようにシートに貼り合せ、あるいは剥離剤を塗布あるいは付着させたコピーあるいはプリントシートを形成するコピーあるいはプリントシート形成工程と、
このコピーあるいはプリントシート形成工程で形成されたコピーあるいはプリントシートを用いて転写用の模様等を剥離剤シート面あるいは剥離剤塗布あるいは付着面に樹脂トナーを用いたコピーあるいはプリントして第１転写シートを作成するコピーあるいはプリント工程と、
このコピーあるいはプリント工程後に第１転写シートのコピーあるいはプリント面を透明あるいは半透明の粘着フィルムあるいは粘着シートの粘着面に粘着させて、コピーあるいはプリント面の転写用の模様等の画像を粘着面に転写して第２転写シートを作る転写シート作成工程と、
この転写シート作成工程で作成された第２転写シートを転写部に貼り付けあるいはアイロン等の熱を加えて画像を転写する転写工程と
を含むことを特徴とする転写方法。
【請求項３】
剥離剤シートをコピーあるいはプリントできるようにシートに貼り合せ、あるいは剥離剤を塗布あるいは付着させたコピーあるいはプリントシートを形成するコピーあるいはプリントシート形成工程と、
このコピーあるいはプリントシート形成工程で形成されたコピーあるいはプリントシートを用いて転写用の模様等を剥離剤シート面あるいは剥離剤塗布あるいは付着面にコピーあるいはプリントして転写シートを作成するコピーあるいはプリント工程と、
転写シートのコピーあるいはプリント面あるいは転写部に塗布あるいは付着させた透明あるいは半透明あるいは白色の粘着剤や接着剤あるいはホットメルト樹脂を介して、転写シートを転写部に貼り付けあるいはアイロン等の熱を加えて画像を転写する転写工程と
を含むことを特徴とする転写方法。
【請求項４】
膨潤するセロハン、セロハン代替品等のフィルムをシートに貼り合せたコピーあるいはプリントシートを用いて、転写用の模様等をフィルム面に樹脂トナーを用いたコピーあるいはプリントして第１転写シートを作成するコピーあるいはプリント工程と、
このコピーあるいはプリント工程後に、第１転写シートのコピーあるいはプリント面を膨潤させるコピー面膨潤工程と、
このコピー面膨潤工程の前後に第１転写シートのコピーあるいはプリント面を透明あるいは半透明の粘着フィルムあるいは粘着シートの粘着面に粘着させて、コピーまたはプリント面の転写用の模様等の画像を粘着面に転写して第２転写シートを作る転写シート作成工程と、
この転写シート作成工程で作成された第２転写シートを転写部に貼り付けあるいはアイロン等の熱を加えて画像を転写する転写工程と
を含むことを特徴とする転写方法。
【請求項５】
剥離剤シートをシートに貼り合せ、あるいは剥離剤を塗布あるいは付着させたコピーあるいはプリントシートを用いて、転写用の模様等を剥離剤シート面あるいは剥離剤塗布あるいは付着面にコピーあるいはプリントして第１転写シートを作成するコピーあるいはプリント工程と、
このコピーあるいはプリント工程後に第１転写シートのコピーあるいはプリント面を透明あるいは半透明の粘着フィルムあるいは粘着シートの粘着面に粘着させて、コピーあるいはプリント面の転写用の模様等の画像を粘着面に転写して第２転写シートを作る転写シート作成工程と、
この転写シート作成工程で作成された第２転写シートを転写部に貼り付けあるいはアイロン等の熱を加えて画像を転写する転写工程と
を含むことを特徴とする転写方法。
【請求項６】
剥離剤シートをシートに貼り合せ、あるいは剥離剤を塗布あるいは付着させたコピーあるいはプリントシートを用いて、転写用の模様等を剥離剤シート面あるいは剥離剤塗布あるいは付着面にコピーあるいはプリントして転写シートを作成するコピーあるいはプリント工程と、
転写シートのコピーあるいはプリント面あるいは転写部に塗布あるいは付着させた透明あるいは半透明あるいは白色の粘着剤や接着剤あるいはホットメルト樹脂を介して、転写シートを転写部に貼り付けあるいはアイロン等の熱を加えて転写用の模様等の画像を転写する転写工程と
を含むことを特徴とする転写方法。
【請求項７】
膨潤するセロハン、セロハン代替品等のフィルムに、樹脂トナーを用いたコピーあるいはプリントできるようにシートを貼り合せたコピーあるいはプリントシートと、
このコピーあるいはプリントシートのフィルム面に樹脂トナーを用いたコピーあるいはプリントされた転写用の模様等の画像と
からなることを特徴とする転写シート。
【請求項８】
膨潤するセロハン、セロハン代替品等のフィルムに、樹脂トナーを用いたコピーあるいはプリントできるようにシートを貼り合せたコピーあるいはプリントシートのフィルム面に、樹脂トナーを用いたコピーあるいはプリントで転写用の模様等の画像を形成した第１転写シートのフィルム面を膨潤させて透明あるいは半透明な粘着フィルムあるいは粘着シートの粘着面に貼り付け、あるいは第１転写シートのフィルム面を透明あるいは半透明な粘着フィルムあるいは粘着シートの粘着面に貼り付けて膨潤させた後、第１転写シートを除去して形成した転写シート。
【請求項９】
剥離剤シートをコピーあるいはプリントできるようにシートに貼り合せ、あるいは剥離剤を塗布あるいは付着させたコピーあるいはプリントシートと、
このコピーあるいはプリントシートの剥離剤シート面あるいは剥離剤塗布あるいは付着面に樹脂トナーを用いたコピーあるいはプリントされた転写用の模様等の画像と
からなることを特徴とする転写シート。
【請求項１０】
粘着面を有する透明あるいは半透明の粘着フィルムあるいは粘着シートの粘着面に、別のシート上で樹脂トナーを用いたコピーあるいはプリントであらかじめ剥離容易に形成した転写用の模様等の画像を転写してなる転写シート。
【発明の詳細な説明】
【０００１】
【発明の属する技術分野】本発明は、主に樹脂トナーを用いたカラーコピーやカラープリンター等のコピーあるいはプリント技術を利用した転写方法および転写シートに関する。
【０００２】
【従来の技術】
従来の転写紙は、昇華塗料を用いて転写模様等をシートにプリントされたものが使用されている。
【０００３】
【発明が解決しようとする課題】
従来の転写紙は昇華塗料を用いているため、誰でもが気軽に転写紙を作ることができず、市販品を使用するしかなく、使用者の好みの転写模様等が得られづらいという欠点があった。
また、昇華転写紙であるため、合成樹脂系の布地等にしか転写することができないという欠点があった。
【０００４】
本発明は以上のような従来の欠点に鑑み、誰でもが気軽に樹脂トナーを用いたカラーコピー機やカラープリンター等を用いて、自分の好みの転写模様等がコピーやプリントされた転写シートを作成し、どんな材質のものにでも容易に転写することができる転写方法および転写シートを提供することを目的としている。
【０００５】
本発明の前記ならびにそのほかの目的と新規な特徴は、以下の説明を添付図面と照らし合わせて読むと、より完全に明らかになるであろう。
ただし、図面はもっぱら解説のためのものであって、本発明の技術的範図を限定するものではない。
【０００６】
【課題を解決するための手段】
上記目的を達成するために、本発明は、膨潤するセロハン、セロハン代替品等のフィルムに、樹脂トナーを用いたコピーあるいはプリントできるようにシートを貼り合せ、コピーあるいはプリントシートを形成するコピーあるいはプリントシート形成工程と、このコピーあるいはプリントシート形成工程で形成されたコピーあるいはプリントシートを用いて転写用の模様等をフィルム面に樹脂トナーを用いたコピーあるいはプリントして第１転写シートを作成するコピーあるいはプリント工程と、このコピーあるいはプリント工程後に、第１転写シートのコピーあるいはプリント面を膨潤させるコピー面膨潤工程と、このコピー面膨潤工程の前後に第１転写シートのコピーあるいはプリント面を透明あるいは半透明の粘着フィルムあるいは粘着シートの粘着面に粘着させて、コピーまたはプリント面の転写用の模様等の画像を粘着面に転写して第２転写シートを作る転写シート作成工程と、この転写シート作成工程で作成された第２転写シートを転写部に貼り付けあるいはアイロン等の熱を加えて画像を転写する転写工程とで転写方法を構成している。
【０００７】
また、本発明は、剥離剤シートをコピーあるいはプリントできるようにシートに貼り合せ、あるいは剥離剤を塗布あるいは付着させたコピーあるいはプリントシートを形成するコピーあるいはプリントシート形成工程と、このコピーあるいはプリントシート形成工程で形成されたコピーあるいはプリントシートを用いて転写用の模様等を剥離剤シート面あるいは剥離剤塗布あるいは付着面に樹脂トナーを用いたコピーあるいはプリントして第１転写シートを作成するコピーあるいはプリント工程と、このコピーあるいはプリント工程後に第１転写シートのコピーあるいはプリント面を透明あるいは半透明の粘着フィルムあるいは粘着シートの粘着面に粘着させて、コピーあるいはプリント面の転写用の模様等の画像を粘着面に転写して第２転写シートを作る転写シート作成工程と、この転写シート作成工程で作成された第２転写シートを転写部に貼り付けあるいはアイロン等の熱を加えて画像を転写する転写工程とで転写方法を構成している。
【０００８】
さらに、本発明は、剥離剤シートをコピーあるいはプリントできるようにシートに貼り合せ、あるいは剥離剤を塗布あるいは付着させたコピーあるいはプリントシートを形成するコピーあるいはプリントシート形成工程と、このコピーあるいはプリントシート形成工程で形成されたコピーあるいはプリントシートを用いて転写用の模様等を剥離剤シート面あるいは剥離剤塗布あるいは付着面にコピーあるいはプリントして転写シートを作成するコピーあるいはプリント工程と、転写シートのコピーあるいはプリント面あるいは転写部に塗布あるいは付着させた透明あるいは半透明あるいは白色の粘着剤や接着剤あるいはホットメルト樹脂を介して、転写シートを転写部に貼り付けあるいはアイロン等の熱を加えて画像を転写する転写工程とで転写方法を構成している。
【０００９】
また、本発明は、膨潤するセロハン、セロハン代替品等のフィルムに、樹脂トナーを用いたコピーあるいはプリントできるようにシートを貼り合せたコピーあるいはプリントシートと、このコピーあるいはプリントシートのフィルム面に樹脂トナーを用いたコピーあるいはプリントされた転写用の模様等の画像とで転写シートを構成している。
【００１０】
さらに、本発明は、膨潤するセロハン、セロハン代替品等のフィルムに、樹脂トナーを用いたコピーあるいはプリントできるようにシートを貼り合せたコピーあるいはプリントシートのフィルム面に、樹脂トナーを用いたコピーあるいはプリントで転写用の模様等の画像を形成した第１転写シートのフィルム面を膨潤させて透明あるいは半透明な粘着フィルムあるいは粘着シートの粘着面に貼り付け、あるいは第１転写シートのフィルム面を透明あるいは半透明な粘着フィルムあるいは粘着シートの粘着面に貼り付けて膨潤させた後、第１転写シートを除去して形成した転写シートを構成している。
【００１１】
さらに、本発明は、剥離剤シートをコピーあるいはプリントできるようにシートに貼り合せ、あるいは剥離剤を塗布あるいは付着させたコピーあるいはプリントシートと、このコピーあるいはプリントシートの剥離剤シート面あるいは剥離剤塗布あるいは付着面に樹脂トナーを用いたコピーあるいはプリントされた転写用の模様等の画像とから転写シートを構成している。
【００１２】
さらに、本発明は、粘着面を有する透明あるいは半透明の粘着フィルムあるいは粘着シートの粘着面に、別のシート上で樹脂トナーを用いたコピーあるいはプリントであらかじめ剥離容易に形成した転写用の模様等の画像を転写してなる転写シートを構成している。
【００１３】
【発明の実施の形態】
以下、図面を参照し、本発明の好ましい実施の形態を詳細に説明する。
【００１４】
図１ないし図８に示す本発明の第１の実施の形態において、転写方法は、図１に示すように、コピーあるいはプリントシート形成工程（ステップＳ１）と、コピーあるいはプリント工程（ステップＳ２）と、コピー面膨潤工程（ステップＳ３）と、転写シート作成工程（ステップＳ４）および転写工程（ステップＳ５）とからなる。
ステップＳ１のコピーあるいはプリントシート形成工程は、図２に示すように、膨潤するセロハン、セロハン代替品等のフィルム２に樹脂トナーを用いたコピーあるいはプリントできるように和紙やコピー用紙等のシート３を貼り合せ、コピーあるいはプリントシート４を形成する工程で、このコピーあるいはプリントシート形成工程は手作業あるいは機械を用いて行なう。
【００１５】
ステップＳ２のコピーあるいはプリント工程は、図３に示すように、前記ステップＳ１のコピーあるいはプリントシー卜形成工程で形成されたコピーあるいはプリントシート４を用いて、転写用の模様等６をフィルム２面に、樹脂トナーを用いたカラーコピー機やカラープリンター７等でコピーあるいはプリントして第１転写シート８とする工程で、このコピーあるいはプリント工程は、従来の樹脂トナーによってシート上に画像を形成するコピーあるいはプリント方法と同様な方法で行なう。
【００１６】
ステップＳ３のコピー面膨潤工程は、図４に示すように、前記ステップＳ２のコピーあるいはプリント工程後に、第１転写シート８のコピー面８ａを膨潤させる工程で、このコピー面膨潤工程は、コピー面８ａに水１０を霧吹き等によって付け、第１転写シート８のフィルム２が膨潤して柔らかくなって該フィルム２に付着している転写用の模様等６のトナー画像がフィルム２から剥離しやすくなるように行なう。
【００１７】
ステップＳ４の転写シート作成工程は、前記ステップＳ３の前記コピー面膨潤工程の前後に、本発明の第１の実施の形態では図４に示す前記コピー面膨潤工程の後に、図５に示すようにコピー面８ａを粘着フィルムあるいは粘着シート１２の粘着面１２ａに粘着させてコピー面８ａの転写用の模様等６の画像を粘着面１２ａに転写して第２転写シート１３を作る工程で、この転写シート作成工程は、前記コピー面膨潤工程でコピー面８ａのフィルム２が膨潤によって柔らかくなって転写用の模様等６の画像がフィルム２から剥離しやすくなっているため、粘着面１２ａに押し圧するだけで簡単にコピーあるいはプリンシート４上の転写用の模様等６の画像を粘着フィルムあるいは粘着シート１２の粘着面１２ａに転写することができる。
【００１８】
ステップＳ５の転写工程は、前記ステップＳ４の転写シート作成工程で作成された第２転写シート１３を転写したいもの１５の転写部１６に転写する工程で、この転写工程は、図６に示すように第２転写シート１３を任意に切断して転写部１６に粘着面１２ａを貼り付けて転写したり、図７に示すように任意に切断した第２転写シート１３の粘着面１２ａを転写部１６に貼り付けた後、アイロン１７等で熱を加えて第２転写シート１３から転写用の模様等６の画像を転写部１６に転写した後、第２転写シート１３を除去する。なお、熱を加えての転写には、アイロンを含む各種プレス機器そのほかの公知の加熱押圧手段を使用してもよい。
【００１９】
なお、この場合、転写用の模様等６の画像とともに粘着面１２ａの粘着成分の一部が転写部１６に転移し、このため仕上がり表面が粘着くことがある。このような粘着きの発生を防止しあるいは消去するために、図８に示すように第２転写シート１３の粘着面１２ａにパウダー１８そのほかの粘着消去剤を散布、霧吹きあるいは塗布等により付着させて、粘着機能をなくしてからアイロン１７等の熱を加える転写作業を行なってもよい。また、第２転写シート１３から転写用の模様等６の画像を転写部１６に転写して第２転写シート１３を除去した後に、パウダーそのほかの粘着消去剤を散布、霧吹きあるいは塗布等により付着させてもよい。
【００２０】
本発明の第１の実施の形態の転写方法によれば、コピー面８ａのフィルム２が膨潤することによって、転写用の模様等６の微細な画像部分を確実に粘着フィルムあるいは粘着シート１２の粘着面１２ａに転写することができる。したがって、高品質の転写シートを作成することができる。更に、淡い色や微妙な色まで忠実に表現した転写用の模様等６を転写部１６に確実に転写することができるので、きれいな転写を行なうことができる。
【００２１】
また、転写部に転写される転写用の模様等６は樹脂トナーからなる画像であるため、転写したいもの１５がどんな材質のもの（紙、布、レザー、木材、石、ガラス等）であっても容易に転写することができるとともに、平面のみならず曲面や立体物にも簡単に転写することができる。
【００２２】
さらに、転写は実質的に樹脂トナーの転写用の模様等６だけであるため、重ね合わせの転写を行っても従来のように下部の転写用の模様等が消えたりするのを確実に防止することができる。したがって、重ね合わせの転写が可能となり、同種のあるいは種類の異なる複数枚の第２転写シート１３を用いて、転写部に順次転写用の模様等６の画像を重ね合わせて工夫を凝らした別の転写デザインを得ることができる。
【００２３】
【発明の異なる実施の形態】
次に、図９ないし図２０に示す本発明の異なる実施の形態につき説明する。なお、これらの本発明の異なる実施の形態の説明に当って、前記本発明の第１の実施の形態の構成部分と同一の構成部分には同一符号を付して重複する説明を省略する。
【００２４】
図９ないし図１１に示す本発明の第２の実施の形態において、転写方法は、図９に示すように、コピーあるいはプリントシート形成工程（ステップＳ１Ａ）と、コピーあるいはプリント工程（ステップＳ２）と、コピー面膨潤工程（ステップＳ３）と、転写シート作成工程（ステップＳ４Ａ）および転写工程（ステップＳ５）とからなる。
前記本発明の第１の実施の形態と主に異なる点は、ステップＳ１Ａのコピーあるいはプリントシート形成工程において、図１０に示すように透明あるいは半透明の樹脂フィルムやトレーシングペーパー製のシート３Ａをフィルム２に貼り合せたコピーあるいはプリントシート４Ａを形成するとともに、ステップＳ４Ａの転写シート作成工程において、図１１に示すように透明あるいは半透明の粘着フィルムあるいは粘着シート１２Ａを用い、第１転写シート８Ａのコピ一面８ａを透明あるいは半透明の粘着フィルムあるいは粘着シート１２Ａの粘着面１２ａに粘着させてコピー面８ａの転写用の模様等６の画像を粘着面１２ａに転写して第２転写シート１３を作る点である。
【００２５】
このような透明あるいは半透明の粘着フィルムあるいは粘着シート１２Ａを用いることにより、第１転写シート８Ａ上の転写用の模様等６の画像を粘着フィルムあるいは粘着シート１２Ａの自分の好みの位置に確実に転写した第２転写シート１３を作ることができるとともに、第２転写シート１３上の転写用の模様等６の画像を自分の好みの転写部位に確実に位置させて転写することができる。したがって、同種のあるいは種類の異なる模様を粘着面１２ａに転写した複数枚の第２転写シート１３を用意し、転写部に順次転写用の模様等６を重ね合わせて転写することが容易であり、目で確かめながら工夫を凝らした別のデザインを簡単に作成することができる。
【００２６】
図１２ないし図１４に示す本発明の第３の実施の形態において、転写方法は、図１２に示すように、コピーあるいはプリントシート形成工程（ステップＳ１Ｂ）と、コピーあるいはプリント工程（ステップＳ２）と、コピー面膨潤工程（ステップＳ３Ｂ）と、転写シート作成工程（ステップＳ４）および転写工程（ステップＳ５）とからなる。
前記本発明の第１の実施の形態と主に異なる点は、ステップＳ１Ｂのコピーあるいはプリントシート形成工程において、図１３に示すようにセロハン、セロハン代替品等のフィルム２に樹脂フィルム製のシート３Ｂを貼り合せてコピーあるいはプリントシート４Ｂを形成した点である。このようなステップＳ１Ｂのコピーあるいはプリントシート形成工程で形成したコピーあるいはプリントシート４Ｂを用いることにより、ステップＳ３Ｂのコピー面膨潤工程では、図１４に示すように第１転写シート８Ｂ全体を容器１９内に収納された水１０に漬ける作業で行なってもよい。
【００２７】
図１５ないし図１７に示す本発明の第４の実施の形態において、転写方法は、図１５に示すように、コピーあるいはプリントシート形成工程（ステップＳ１Ｃ）と、コピーあるいはプリント工程（ステップＳ２Ｃ）と、転写シート作成工程（ステップＳ４Ｃ）および転写工程（ステップＳ５）とからなる。
前記本発明の第１ないし第３の実施の形態と主に異なる点は、ステップＳ１Ｃのコピーあるいはプリントシート形成工程において、図１６に示すようにシート３に剥離剤２０を塗布あるいは付着させたコピーあるいはプリントシート４Ｃを形成し、ステップＳ２Ｃのコピーあるいはプリント工程において、そのコピーあるいはプリントシート４Ｃを用いて、転写用の模様等６を剥離剤塗布あるいは付着面に樹脂トナーを用いたカラーコピー機やカラープリンター７等でコピーあるいはプリントして第１転写シート８にし、ステップＳ４Ｃの転写シート作成工程において、図１７に示すように、ステップＳ２Ｃのコピーあるいはプリント工程後に第１転写シート８のコピー面８ａを透明あるいは半透明の粘着フィルムあるいは粘着シート１２Ａの粘着面１２ａに粘着させて、コピー面８ａ上の転写用の模様等６の画像を粘着面１２ａに転写して第２転写シート１３Ａを作る点である。本発明の第４の実施の形態では、シート３に剥離剤２０を塗布あるいは付着させたコピーあるいはプリントシート４Ｃを用いるので、前記本発明の第１ないし第３の実施の形態におけるコピー面膨潤工程を必要としない。
【００２８】
このような工程を用いた転写方法を行なっても、（ａ）転写用の模様等６の微細な画像部分を確実に粘着フィルム１２Ａの粘着面１２ａに転写することができ、高品質の転写シートを作成することができる、（ｂ）淡い色や微妙な色まで忠実に表現した転写用の模様等６を転写部１６に確実に転写することができるので、きれいな転写を行なうことができる、（ｃ）転写したいもの１５がどんな材質のものであっても容易に転写することができるとともに、平面のみならず曲面や立体物にも簡単に転写することができる、（ｄ）重ね合わせの転写を行っても下部の転写用の模様等が消えたりするのを確実に防止することができ、転写部に順次転写用の模様等６の画像を重ね合わせて工夫を凝らした別の転写デザインを得ることができる、という前記本発明の第１の実施の形態と同様な作用効果が得られる。
【００２９】
なお、コピーあるいはプリントシート４Ｃは、コピー用紙や樹脂フィルム製のシート３に剥離剤２０をあらかじめ塗布したりスプレー等によって付着固定したもの、薄いシート状に形成した剥離剤シート２１をコピー用紙や樹脂フィルム製のシート３に貼り付けたもの（図１９参照）、使用時にスプレー等によって剥離剤２０を塗布したものを用いても良い。
【００３０】
図１８ないし図２０に示す本発明の第５の実施の形態において、転写方法は、図１８に示すように、コピーあるいはプリントシート形成工程（ステップＳ１Ｄ）と、コピーあるいはプリント工程（ステップＳ２Ｄ）および転写工程（ステップＳ５Ｄ）とからなる。
前記本発明の第４の実施の形態と主に異なる点は、ステップＳ１Ｄのコピーあるいはプリントシート形成工程において、図１９に示すように剥離剤シート２１をコピーあるいはプリントできるようにシート３に貼り合せたコピーあるいはプリントシート４Ｃを形成し、ステップＳ２Ｄのコピーあるいはプリント工程において、このコピーあるいはプリントシート形成工程で形成されたコピーあるいはプリントシート４Ｃを用いて、転写用の模様等６を剥離剤シート２１面にコピーあるいはプリントして転写シート１３Ｂを形成し、ステップＳ５Ｄの転写工程において、転写シート１３Ｂのコピーあるいはプリント面あるいは転写部に、図２０に示す例では転写部１６に、塗布あるいは付着させた透明あるいは半透明あるいは白色の粘着剤や接着剤２２あるいはホットメルト樹脂２３を介して、転写シート１３Ｂを転写部に貼り付けあるいはアイロン等の熱を加えて画像を転写する点である。
【００３１】
このような工程を用いた転写方法を行っても、前記本発明の第４の実施の形態と同様な作用効果が得られるとともに、第１転写シートから第２転写シートを作成する工程を経ることなくステップＳ２Ｄのコピーあるいはプリント工程によって転写シート１３Ｂを得ることができるので、反転した転写用の模様等６の画像が転写部１６に転写されるものの、工程をより簡略化することができ転写シート１３Ｂの製造が容易である。また、転写シート１３Ｂのコピーあるいはプリント面あるいは転写部１６に塗布あるいは付着させた透明あるいは半透明あるいは白色の粘着剤や接着剤２２あるいはホットメルト樹脂２３を介して、転写シート１３Ｂを転写部に貼り付けあるいはアイロン等の熱を加えて画像を転写するものであるから、転写したいもの１５の表面状態を問わずどんな曲面の部位あるいは凹凸のある部位にでも容易に転写することができる。
特に、白色の粘着剤や接着剤２２あるいはホットメルト樹脂２３は、転写部１６の表面に白色の下地を提供するので、転写部１６の表面が黒あるいは暗色である場合でも転写用の模様等の画像を鮮明に転写することができる利点がある。
なお、プリントシート４Ｃへの転写用の模様等６のプリントは、従来から一般に行われている凸版印刷、スクリーン印刷等の印刷方法によって行っても良い。
【００３２】
前記本発明の第５の実施の形態において、ステップＳ１Ｄのコピーあるいはプリントシート形成工程は、図１９に示した剥離剤シート２１をコピーあるいはプリントできるようにシート３に貼り合せたコピーあるいはプリントシート４Ｃを形成する工程としたが、既に図１６に示したように剥離剤２０をシート３に塗布あるいは付着させたコピーあるいはプリントシート４Ｃを形成する工程としてもよい。その場合、ステップＳ２Ｄのコピーあるいはプリント工程において、コピーあるいはプリントシート４Ｃの剥離剤２０が塗布あるいは付着した面に転写用の模様等６をコピーあるいはプリントして転写シート１３Ｂを作る。
【００３３】
本発明の転写方法は各種の修正や応用を加えることが可能であり、例えば前記本発明の第１ないし第５の実施の形態は以下のように修正や応用を加え得る。
（１）前記本発明の第２あるいは第４の実施の形態において、ステップＳ４ＡあるいはステップＳ４Ｃの転写シート作成工程に使う粘着フィルムあるいは粘着シート１２Ａ（図１１，図１７参照）として、粘着面を有する薄い和紙などの半透明の多孔性フィルムあるいは多孔性シートを用い、第２転写シート１３，１３Ａを作成し、ステップＳ５の転写工程では転写用の模様等６を転写部に転写するとともに第２転写シート１３，１３Ａを除去しないで粘着面を介して転写部１６に貼り合わせる。粘着面を有する薄い和紙などの半透明の多孔性粘着フィルムあるいは多孔性シートが下部の転写用の模様等６の画像をぼかす作用をし、趣のあるデザインが得られる。
（２）上記（１）のようにして転写部に貼り合わせた薄い和紙などの半透明の多孔性フィルムの表面に、シリコン樹脂をコーティングする。多孔性フィルムあるいは多孔性シートの多数の孔にシリコン樹脂を充填することで、多孔性フィルムあるいは多孔性シートの透明度が増し、フィルムを通した画像の鮮明度が向上する。
（３）前記本発明の第５の実施の形態において、ステップＳ１Ｄのコピーあるいはプリントシート形成工程に使うシート３として薄い和紙などの半透明の多孔性フィルムあるいは多孔性のシートを用い、転写シート１３Ｂを作成し、ステップＳ５Ｄの転写工程では転写用の模様等６を転写部に転写するとともに第２転写シート１３Ｂを除去しないで粘着面を介して転写部に貼り合わせる。この場合も上記（１）の場合と同様の作用効果が得られる。
（４）前記本発明の第１ないし第５の実施の形態において、転写工程で転写部１６に残る粘着きを利用して別途薄い和紙や透明あるいは半透明のフィルムあるいはシートを転写部１６に貼り付ける。和紙や透明あるいは半透明のフィルムあるいはシートは、その下部の転写用の模様等６の画像を擦れや引っ掻きなどの外力から保護し、転写画像が損傷するのを防止する。
（５）前記本発明の第１ないし第５の実施の形態において、転写したいもの１５の一部あるいは全面にあらかじめ粘着剤あるいは接着剤あるいはホットメルト樹脂を塗布あるいは付着させておき、転写工程ではその上に転写用の模様等６を転写部に転写するとともに、別途薄い和紙や透明あるいは半透明のフィルムあるいはシートを貼り付ける。この場合も上記（４）の場合と同様の作用効果が得られる。
（６）前記本発明の第１ないし第５の実施の形態に従い転写部１６に転写した転写用の模様等６の画像表面に、アクリル、シリコンあるいはポリエステルなどからなる樹脂皮膜を形成し、擦れや引っ掻きなどの外力から保護し、転写画像が損傷するのを防止する。
（７）前記本発明の第１ないし第５の実施の形態に従い転写部１６に転写した転写用の模様等６の画像に、筆、サインペン等によって他の顔料を含む色彩を付加し、あるいは粘着テープあるいはカッター等により画像の一部を剥離しあるいは削り落とすことで、デザインの創作的な修正が可能である。
（８）前記本発明の第１ないし第５の実施の形態において、コピーあるいはプリントシート形成工程を工場などの外部で行なわせてもよい。そのように外部で生産された所定のコピーまたはプリントシートを用いてコピーあるいはプリント工程以下の各工程を実施する転写方法も、本発明の範囲に含まれることはいうまでもない。
【００３４】
【発明の効果】
以上の説明から明らかなように、本発明にあっては次に列挙する効果が得られる。
【００３５】
（１）膨潤するセロハン、セロハン代替品等のフィルムに、樹脂トナーを用いたコピーあるいはプリントできるようにシートを貼り合せ、コピーあるいはプリントシートを形成するコピーあるいはプリントシート形成工程と、このコピーあるいはプリントシート形成工程で形成されたコピーあるいはプリントシートを用いて転写用の模様等をフィルム面に樹脂トナーを用いたコピーあるいはプリントして第１転写シートを作成するコピーあるいはプリント工程と、このコピーあるいはプリント工程後に、第１転写シートのコピーあるいはプリント面を膨潤させるコピー面膨潤工程と、このコピー面膨潤工程の前後に第１転写シートのコピーあるいはプリント面を透明あるいは半透明の粘着フィルムあるいは粘着シートの粘着面に粘着させて、コピーあるいはプリント面の転写用の模様等の画像を粘着面に転写して第２転写シートを作る転写シート作成工程と、この転写シート作成工程で作成された第２転写シートを転写部に貼り付けあるいはアイロン等の熱を加えて画像を転写する転写工程とからなるので、第１転写シートのコピー面を膨潤させて粘着フィルムあるいは粘着シートの粘着面に転写用の模様等を転写することにより、確実にコピーあるいはプリントした転写用の模様等を粘着フィルムあるいは粘着シートに転写して第２転写シートとすることができる。
したがって、高品質の転写シートを作成することができ、きれいな転写を行うことができる。
【００３６】
（２）前記（１）によって、樹脂トナーを用いたコピーあるいはプリントを用いるので、誰でもが容易に自分が転写したい模様等を転写シートに作成することができ、転写を楽しむことができる。
【００３７】
（３）前記（１）によって、転写される転写用の模様等は、樹脂トナー画像であるため、転写されるものがどんな材質のものであっても、容易に転写することができるとともに、転写は樹脂トナーの転写用の模様等だけであるため、重ね合わせの転写を行っても従来のように下部の転写用の模様等が消えたりするのを確実に防止することができる。
したがつて、重ね合わせの転写が可能となり、従来不可能とされていた、複数枚の転写紙を用いて構成したデザインを施した転写を行なうことができる。
【００３８】
（４）請求項２、３、４、５、６、７、８、９および１０に係る転写方法または転写シートについても前記（１）〜（３）と同様な効果が得られる。
【図面の簡単な説明】
【図１】本発明の第１の実施の形態の工程図。
【図２】コピーあるいはプリントシート形成工程の説明図。
【図３】本発明の第１の実施の形態のコピーあるいはプリント工程の説明図。
【図４】本発明の第１の実施の形態のコピー面膨潤工程の説明図。
【図５】本発明の第１の実施の形態の転写シート作成工程の説明図。
【図６】本発明の第１の実施の形態の転写工程の説明図。
【図７】本発明の第１の実施の形態の異なる転写工程の説明図。
【図８】本発明の第１の実施の形態の異なる転写工程の説明図。
【図９】本発明の第２の実施の形態の工程図。
【図１０】コピーあるいはプリントシート形成工程の説明図。
【図１１】本発明の第２の実施の形態の転写シート作成工程の説明図。
【図１２】本発明の第３の実施の形態の工程図。
【図１３】コピーあるいはプリントシート形成工程の説明図。
【図１４】本発明の第３の実施の形態のコピー面膨潤工程の説明図。
【図１５】本発明の第４の実施の形態の工程図。
【図１６】コピーあるいはプリントシート形成工程の説明図。
【図１７】本発明の第４の実施の形態の転写シート作成工程の説明図。
【図１８】本発明の第５の実施の形態の工程図。
【図１９】コピーあるいはプリントシート形成工程の説明図。
【図２０】本発明の第５の実施の形態の転写工程の説明図。
【符号の脱明】
２：フィルム、
３、３Ａ、３Ｂ：シート、
４、４Ａ、４Ｂ、４Ｃ：コピーあるいはプリントシート、
６：転写用の模様等、
７：カラーコピー機やカラープリンター、
８、８Ａ、８Ｂ：第１転写シート、
８ａ：コピー面、
１０：水、
１２、１２Ａ：粘着フィルムあるいは粘着シート、
１２ａ：粘着面、
１３、１３Ａ、１３Ｂ：転写シート
１５：転写したいもの
１６：転写部、
１７：アイロン、
１８：パウダー、
１９：容器、
２０：剥離剤、
２１：剥離剤シート、
２２：粘着剤や接着剤、
２３：ホットメルト樹脂。
【図１】
2004001333.tif 000002
【図２】
2004001333.tif 000003
【図３】
2004001333.tif 000004
【図４】
2004001333.tif 000005
【図５】
2004001333.tif 000006
【図６】
2004001333.tif 000007
【図７】
2004001333.tif 000008
【図８】
2004001333.tif 000009
【図９】
2004001333.tif 000010
【図１０】
2004001333.tif 000011
【図１１】
2004001333.tif 000012
【図１２】
2004001333.tif 000013
【図１３】
2004001333.tif 000014
【図１４】
2004001333.tif 000015
【図１５】
2004001333.tif 000016
【図１６】
2004001333.tif 000017
【図１７】
2004001333.tif 000018
【図１８】
2004001333.tif 000019
【図１９】
2004001333.tif 000020
【図２０】
2004001333.tif 000021